(57)【要約】【課題】保持部の安定性を高めることができるうえ、加工が簡単な構造となる。【解決手段】情報表示パネル１は、任意の情報を表示可能な表示本体部１１と、表示本体部１１の底辺部に連設された挿入基端部１３と、挿入基端部１３から底辺部に沿う方向に延びる折返し片１４と、折返し片１４に底辺部に沿って平行に形成された一対のスリット１５Ａ、１５Ｂとを備えている。挿入基端部１３を表示本体部１１に対してその境界線に沿って折曲げるとともに、折返し片１４を挿入基端部１３に対して重なるようにして折返すことで形成し、この保持部１２を電子棚札２に設けた貫通穴部４４に挿入させることで、スリット１５Ａ、１５Ｂに段差Ｈ１、Ｈ２が形成され、この段差Ｈ１、Ｈ２によって保持部１２と貫通穴部４４とが係合する構成とした。【選択図】図１０
2010110507.tif 000002
【特許請求の範囲】
【請求項１】
棚札に設けられた貫通穴部に保持される情報表示パネルであって、
任意の情報を表示可能な表示本体部と、
該表示本体部の底辺部に連設された挿入基端部と、
該挿入基端部から前記底辺部に沿う方向に延びる折返し片と、
前記挿入基端部及び前記折返し片の少なくとも一方に前記底辺部に沿って平行に形成された複数のスリットと、
を備え、
前記挿入基端部を前記表示本体部に対してその境界線に沿って折曲げるとともに、前記折返し片を前記挿入基端部に対して重なるようにして折返すことで、前記貫通穴部に挿入可能な保持部を形成し、
該保持部の上下両面のうち少なくとも一面に前記スリットを配置させた構成であることを特徴とする情報表示パネル。
【請求項２】
前記折返し片は、前記挿入基端部から延びる方向に少なくとも２回以上、折り返されていることを特徴とする請求項１に記載の情報表示パネル。
【請求項３】
前記スリットのうち少なくとも二つのスリット同士の間隔は、前記貫通穴部の長さ寸法と略同寸法であることを特徴とする請求項１又は２に記載の情報表示パネル。
【請求項４】
請求項１乃至３のいずれかに記載の情報表示パネルを保持するための貫通穴部を有することを特徴とする棚札。
【発明の詳細な説明】
【技術分野】
【０００１】
本発明は、小売販売店等で商品の値段や文字情報などを表示するための情報表示パネル及び棚札に関する。
【背景技術】
【０００２】
近年、スーパーマーケット等の小売販売店では、商品価格を表示させた電子棚札を商品陳列棚に取り付けることで、店内商品を集中管理している。例えば日毎、週毎などで変わる商品の値段をその対象商品の電子棚札に信号を送信して、値段表示を容易に且つ効率的に変更することができるようになっている。そして、このような電子棚札には、とくにサービス商品などを顧客に対して目立たせるために、文字や数字を表示させた情報表示パネルが着脱可能に取り付けられている（例えば、特許文献１参照）。
【０００３】
図１４は、上述した特許文献１に記載されている従来の情報表示パネルの一例を示す斜視図である。
すなわち、図１４に示す符号１００は情報表示パネルであり、符号１０１は棚札を収容するケーシングである。このケーシング１０１には、係止突起１０２を備えた差込口１０３が設けられている。一方、情報表示パネル１００は、例えば文字情報などのカードを差込可能とするカードケース部を形成する表示本体部１０４を備えており、その表示本体部１０４の底辺部には、ケーシング側の係止突起１０２に係合可能な係止孔１０５を形成させた保持片１０６が設けられている。この保持片１０６は、中央部で下側に１回折り返して重ね合わせることによって形成された上部挿入片１０６ａと下部挿入片１０６ｂとからなる。その保持片１０６を折返し部側から差込口１０３に挿入することで、係止突起１０２が係止孔１０５に係合し、情報表示パネル１００がケーシング１０１に装着される構成となっている。つまり、保持片１０６が折返しによる弾性作用によって外方に広がるので、上部挿入片１０６ａ及び下部挿入片１０６ｂが前記弾性作用によって差込口１０３の内部の上下面を押し広げるようにして嵌合するとともに、係止孔１０５に係止突起１０２が係合することになり、抜けが防止される構成となっている。
【特許文献１】特許第４１１１７５７号公報
【発明の開示】
【発明が解決しようとする課題】
【０００４】
しかしながら、従来の情報表示パネルの取付け構造では、以下のような問題があった。
すなわち、図１４に示すような特許文献１では、係止孔１０５と係止突起１０２とが点で係合する構造となっているので、その係合部を中心にして保持片１０６（情報表示パネル１００）が水平方向に回転する揺動が生じ、情報表示パネル１００がずれてしまい、このパネルの表示の向きが変わってしまうといった不具合があり、情報表示パネル１００の保持部の安定性に問題があった。
また、情報表示パネル１００を挿入させる側のケーシング１０１側の差込口１０３に係止突起１０２を形成する必要があり、加工に手間がかかっていた。
【０００５】
本発明は、上述する問題点に鑑みてなされたもので、保持部の安定性を高めることができるうえ、加工が簡単な構造となる情報表示パネル及び棚札を提供することを目的とする。
【課題を解決するための手段】
【０００６】
上記目的を達成するため、本発明に係る情報表示パネルでは、棚札に設けられた貫通穴部に保持される情報表示パネルであって、任意の情報を表示可能な表示本体部と、表示本体部の底辺部に連設された挿入基端部と、挿入基端部から底辺部に沿う方向に延びる折返し片と、挿入基端部及び折返し片の少なくとも一方に底辺部に沿って平行に形成された複数のスリットとを備え、挿入基端部を表示本体部に対してその境界線に沿って折曲げるとともに、折返し片を挿入基端部に対して重なるようにして折返すことで、貫通穴部に挿入可能な保持部を形成し、保持部の上下両面のうち少なくとも一面にスリットを配置させた構成であることを特徴としている。
【０００７】
また、本発明に係る棚札では、上述した情報表示パネルを保持するための貫通穴部を有することを特徴としている。
【０００８】
本発明では、情報表示パネルの保持部を棚札に設けた貫通穴部に挿入することで、情報表示パネルを棚札に対して保持させることができ、これにより棚札の価格表示とは別で表示本体部において文字情報などを表示することができる。そして、挿入基端部に対して折返し片を重ね合わせるようにして折り返すことで、保持部の厚さ寸法を増大させるとともに、その折返しによって貫通穴部を押し広げる方向に弾性力が作用する。つまり、貫通穴部と保持部との隙間がなくなるので、双方の係合状態を向上させることができる。さらに、貫通穴部を二つのスリットの間の位置となるように構成することで、そのスリット間に位置する保持部の一部が貫通穴部によって厚さ寸法を縮小させる方向に押圧されるため、それらスリット部分に段差が形成される。そのため、一方のスリットの段差によって保持部の挿入が規制されるとともに、他方のスリットの段差によって保持部の抜けが防止されることになる。
しかも、各スリットによる段差が線状となって、それらの段差と貫通穴部とが線で当接することになり、貫通穴部に対して保持部が水平方向に回転する揺動を規制することができる。
また、本情報表示パネルでは、表示本体部の底辺部に沿って保持部（挿入基端部及び折返し片）を配置することができるので、例えば四角形状の状態から表示本体部と折返し片との間に切込みを入れることで容易に保持部を形成することが可能となるうえ、保持部の一部にスリットを形成するといった加工に手間がかからない簡単な係合構造を実現することができる。
【０００９】
また、本発明に係る情報表示パネルでは、折返し片は、挿入基端部から延びる方向に少なくとも２回以上、折り返されていることが好ましい。
本発明では、挿入基端部に対して折返し片が二重以上の重なりを有することになり、保持部の厚みをより一層増大させることができ、棚札の貫通穴部に対して隙間なく係合させることができる。
【００１０】
また、本発明に係る情報表示パネルでは、スリットのうち少なくとも二つのスリット同士の間隔は、貫通穴部の長さ寸法と略同寸法であることが好ましい。
本発明では、挿入基端部に対して折返し片を重ねた状態の保持部を貫通穴部に挿入させた状態で、二つのスリットによって形成される段差が貫通穴部に当接して係止した係合状態となり、保持部が貫通穴部に対して挿入方向のずれをより確実に抑えることができることから、保持状態の安定性を高めることができる。
【発明の効果】
【００１１】
本発明の情報表示パネル及び棚札によれば、折返し片の折返しによる弾性作用を有する保持部を棚札の貫通穴部に挿入することで、貫通穴部によって保持部の一部が厚さ寸法を縮小させる方向に押圧されることで形成されるスリット部分の段差によって、貫通穴部と保持部とが係止され、貫通穴部に対する保持部の抜けを防止することができ、係合状態の向上を図ることができる。そして、スリットの段差と貫通穴部とが線で当接して係止した状態となるので、貫通穴部に対する保持部の水平方向への回転が規制され、揺動によるずれがなくなり、保持部の安定性を高めることができる。
また、保持部の一部にスリットを形成するだけの簡単な係合構造となるので、例えば貫通穴部や保持部のいずれか一方に突起などを形成する必要がなくなり、加工が容易となる利点がある。
【発明を実施するための最良の形態】
【００１２】
以下、本発明の第１の実施の形態による情報表示パネル及び棚札について、図１乃至図１０に基づいて説明する。
図１は本発明の第１の実施の形態による電子棚札に装着した情報表示パネルの概略構成を示す斜視図、図２は情報表示パネルの正面図、図３（ａ）〜（ｄ）は情報表示パネルの保持部を形成する手順を示す図、図４は保持部が形成された状態の情報表示パネルの斜視図、図５（ａ）は図４に示すＡ−Ａ線矢視図、（ｂ）は図４に示すＢ−Ｂ線断面図、図６は電子棚札の正面図、図７は図１を上から見た図、図８は図７に示すＣ−Ｃ線矢視図、図９は図７に示すＤ−Ｄ線断面図、図１０は図９に示す符号Ｒ部を示す図であって、貫通穴部の拡大図である。
【００１３】
図１に示すように、本第１の実施の形態による情報表示パネル１は、例えばスーパーマーケットなどの小売商店で商品棚に使用されて商品の価格を電子表示するための電子棚札２（棚札）に取り付けられ、この電子棚札２による価格表示の他に例えばサービス商品であることの文字情報や色分けによる識別機能をもたせ、顧客に対して目立たせることを目的としたものである。
【００１４】
図２に示すように、情報表示パネル１は、例えば紙やポリエステル等のプラスチックといった折り曲げ可能な材料からなり、平面視四角形の薄板形状をなしている。具体的に情報表示パネル１は、任意の情報を表示可能な表示本体部１１と、表示本体部１１の一辺（底辺部１１ａ）に沿って帯状に形成されるとともに電子棚札２の後述する貫通穴部４４（図６参照）に挿入される部位をなす保持部１２（図４及び図５参照）とからなる。なお、表示本体部１１に表示する情報は、印刷、貼り付け、手書き等いずれの方法でも可能である。
ここで、情報表示パネル１において、保持部１２が位置する底辺部１１ａが、表示本体部１１の下辺に相当している。
【００１５】
保持部１２は、表示本体部１１の底辺部１１ａの一方側（左右方向で左側）に連設された挿入基端部１３と、挿入基端部１３から前記底辺部１１ａに沿う方向に延びる折返し片１４（１４Ａ、１４Ｂ）と、折返し片１４の左右方向で挿入基端部１３と反対側寄りに前記底辺部１１ａに沿って平行に形成された一対のスリット１５（１５Ａ、１５Ｂ）とからなる。つまり、折返し片１４は、前記底辺部１１ａを形成する切込み部１６によって表示本体部１１に対して切り離された状態となっている。
【００１６】
図３（ａ）及び（ｂ）に示すように、挿入基端部１３は、表示本体部１１との境界線の前記切込み部１６の延長線上に位置する折曲げ線Ｓ１（図の一点鎖線）に沿って、表示本体部１１に対して所定方向（表示本体部１１の表示面１１ｂの後側（背面１１ｃ）へ向かう方向であって、矢印Ｅ１方向）に折り曲げ可能となっている。なお、このときの挿入基端部１３の折曲げ角度は、略９０度であって、表示本体部１１に対して略直角となっている。
【００１７】
また、図２に示すように、折返し片１４は、左右方向で略中間位置（第２折返し線Ｔ２に相当）を挟んで左右両側に位置する第１片部１４Ａと第２片部１４Ｂとからなる。そして、挿入基端部１３、第１片部１４Ａ、および第２片部１４Ｂは、それぞれ略同一の長さ寸法で形成されている。なお、挿入基端部１３と折返し片１４との境界の第１折返し線Ｔ１（図の破線）、及び第１片部１４Ａと第２片部１４Ｂとの境界の第２折返し線Ｔ２（図の破線）は、それぞれ折曲げ線Ｓ１の方向に対して直交する方向となっている。
【００１８】
そして、折返し片１４は、挿入基端部１３に対して２回折り返される構成となっている。すなわち、図３（ｂ）及び（ｃ）に示すように、第１片部１４Ａは、第１折返し線Ｔ１に沿って挿入基端部１３に対して所定方向（挿入基端部１３の表示面１３ａに重なる方向であって、矢印Ｅ２方向）に折返し可能となっている。さらに、図３（ｃ）及び（ｄ）に示すように、第２片部１４Ｂは、第２折返し線Ｔ２に沿って第１片部１４Ａに対して所定方向（挿入基端部１３の背面１３ｂに重なる方向であって、矢印Ｅ３方向）に折返し可能となっている。
【００１９】
このように、情報表示パネル１は、折曲げ線Ｓ１で表示本体部１１に対して挿入基端部１３を折曲げ、次に第１折返し線Ｔ１で挿入基端部１３に対して第１片部１４Ａを折返し、次いで第２折返し線Ｔ２で第１片部１４Ａに対して第２片部１４Ｂを折返すことで、図４及び図５（ａ）、（ｂ）に示すように後述する貫通穴部４４に挿入可能な保持部１２が形成される構成となっている。そして、保持部１２は、折り返された第１片部１４Ａ及び第２片部１４Ｂがそれぞれ第１折返し線Ｔ１、第２折返し線Ｔ２を回転軸として回転する方向で、厚さ寸法を拡大する方向の弾性力が作用する構成となっている。
【００２０】
図２に示すように、スリット１５は、第２片部１４Ｂにおいて、適宜な長さ寸法で２本が所定の離間をもって平行に形成されている。ここで、２本のスリット１５のうち、切込み部１６寄りに位置するものを第１スリット１５Ａ、他方を第２スリット１５Ｂとする。そして、スリット１５Ａ、１５Ｂどうしの間隔は、少なくとも後述する貫通穴部４４の幅寸法Ｄ（図１０参照））より大きい寸法となっている。
【００２１】
次に、情報表示パネル１を保持部１２を係合させることで取り付けるための電子棚札２について、図面に基づいて説明する。
図６乃至図９に示すように、電子棚札２は、例えば商品の価格を表示するための液晶パネル３１を有する電子棚札本体３と、この電子棚札本体３を内部に収容する棚札フレーム４とからなる。
【００２２】
図９に示すように、電子棚札本体３は、液晶パネル３１と、液晶パネル３１の背面側（図９で左側）に設けられているメイン基板３２と、さらにメイン基板３２の背面側に設けられているバッテリー３３と、メイン基板３２の上部に取り付けられていて液晶パネル３１で表示するための情報を図示しない端末により受信するためのアンテナ３４とを備えて概略構成されており、例えば電気を使用しないメモリー性液晶が採用されている。
【００２３】
図６乃至図８に示すように、棚札フレーム４は、上述したように電子棚札本体３を収容するカバーの機能をもたせた収容体であり、表示表面側に電子棚札本体３の液晶パネル３１を表示するための開口窓４２ａを形成した額縁状枠部４２と、額縁状枠部４２の表面に設けられていて窓縁表示パネル５を上下方向に差し込んで保持する案内レール４３（４３Ａ、４３Ｂ）と、情報表示パネル１の保持部１２を係合させるための貫通穴部４４と、電子棚札本体３のアンテナ３４を収容するためのアンテナ収容部４５とから概略構成されている。
なお、窓縁表示パネル５は、額縁状枠部４２の額縁部分を覆うようにして重なる枠形状をなしており、その枠表面に例えば任意の情報（例えば、文字情報や色など）が表示可能であり、情報表示パネル１とは別の表示体である。
【００２４】
額縁状枠部４２は、略四角形状の開口窓４２ａを形成させており、この開口窓４２ａの大きさは、図１において液晶パネル３１の表示部が見える適宜な大きさとなっている。
【００２５】
貫通穴部４４は、棚札フレーム４の左右方向の略中央に位置するパネル取付部４６に形成されている。すなわち、パネル取付部４６は、アンテナ収容部４５から水平方向に延びて鉤状に曲がってフレーム上面４ａに連結しており、その内側に貫通穴部４４が形成されている（図１０参照）。貫通穴部４４は、保持部１２の断面とほぼ同じ形状で、細長の矩形断面形状をなしている。ここで、図１０に示す貫通穴部４４の穴の長さ寸法Ｄは、上述した二つのスリット１５Ａ、１５Ｂの間の間隔より小さい寸法となっている。
【００２６】
次に、このように構成される情報表示パネル１の作用について、図面に基づいて説明する。
図１、図７、図８、及び図９に示すように、情報表示パネル１の保持部１２を電子棚札２に設けた貫通穴部４４に挿入することで、情報表示パネル１を電子棚札２に対して保持させることができ、これにより電子棚札２の価格表示とは別で表示本体部１１において文字情報などを表示することができる。
そして、挿入基端部１３に対して折返し片１４を重ね合わせるようにして折り返すことで、保持部１２の厚さ寸法を増大させるとともに、その折返しによって貫通穴部４４を押し広げる方向に弾性力が作用する。つまり、貫通穴部４４と保持部１２との隙間がなくなるので、双方の係合状態を向上させることができる。とくに本情報表示パネル１では、折返し片１４が２回、折り返されているので、挿入基端部１３に対して折返し片１４が二重の重なりを有することになり、保持部１２の厚みをより一層増大させることができ、電子棚札２の貫通穴部４４に対して隙間なく係合させることができる。
【００２７】
また、図１０に示すように、貫通穴部４４を二つのスリット１５Ａ、１５Ｂの間の位置となるように構成することで、そのスリット１５Ａ、１５Ｂ間に位置する保持部１２の一部が折返しによる弾性変形に抗して、貫通穴部４４によって厚さ寸法を縮小させる方向に押圧されるため、それらスリット部分に段差Ｈ１、Ｈ２が形成される。そのため、一方の第１スリット１５Ａ（表示本体部１１寄りのスリット）の段差Ｈ１が貫通穴部４４の端部に当接することによって保持部１２の挿入が規制されるとともに、他方の第２スリット１５Ｂの段差Ｈ２によって保持部１２の抜けが防止されることになる。
なお、電子棚札２に保持された情報表示パネル１は、第２スリット１５Ｂによって形成される段差Ｈ２をなくすように潰しながら保持部１２を貫通穴部４４から引き抜くことで、取り外すことができる。
【００２８】
さらに、各スリット１５Ａ、１５Ｂによる段差Ｈ１、Ｈ２が線状となって、それらの段差Ｈ１、Ｈ２と貫通穴部４４とが線で当接することになり、貫通穴部４４に対して保持部１２が水平方向に回転する揺動を規制することができる（図７参照）。
しかも、図２に示すように、情報表示パネル１では、表示本体部１１の底辺部１１ａに沿って保持部１２（挿入基端部１３及び折返し片１４）を配置することができるので、例えば四角形状の状態から表示本体部と折返し片との間に切込みを入れることで容易に保持部１２を形成することが可能となるうえ、保持部１２の一部にスリット１５を形成するといった加工に手間がかからない簡単な係合構造を実現することができる。
【００２９】
上述のように本第１の実施の形態による情報表示パネル及び棚札では、折返し片１４の折返しによる弾性作用を有する保持部１２を電子棚札２の貫通穴部４４に挿入することで、貫通穴部４４によって保持部１２の一部が厚さ寸法を縮小させる方向に押圧されることで形成されるスリット部分の段差によって、貫通穴部４４と保持部１２とが係止され、貫通穴部４４に対する保持部１２の抜けを防止することができ、係合状態の向上を図ることができる。
そして、スリット１５の段差Ｈと貫通穴部４４とが線で当接して係止した状態となるので、貫通穴部４４に対する保持部１２の水平方向への回転が規制され、揺動によるずれがなくなり、保持部１２の安定性を高めることができる。
また、保持部１２（折返し片１４）の一部にスリット１５を形成するだけの簡単な係合構造となるので、例えば貫通穴部や保持部のいずれか一方に突起などを形成する必要がなくなり、加工が容易となる利点がある。
【００３０】
次に、他の実施の形態について、添付図面に基づいて説明するが、上述の第１の実施の形態と同一又は同様な部材、部分には同一の符号を用いて説明を省略し、第１の実施の形態と異なる構成について説明する。
図１１は本発明の第２の実施の形態による情報表示パネルの正面図、図１２は図１１に示す情報表示パネルの保持部形成の概要を示す斜視図であって、（ａ）は第１の方法を示す図、（ｂ）は第２の方法を示す図である。
第２の実施の形態は、上述した第１の実施の形態の情報表示パネル１の保持部１２（図２参照））の構成を変更した一例である。
【００３１】
すなわち、図１１に示すように、情報表示パネル１Ａの保持部１２Ａは、挿入基端部１３Ａが表示本体部１１の底辺部１１ａの左右方向で略中央に配置されており、その挿入基端部１３Ａの両側から底辺部１１ａに沿って水平方向に折返し片１４（第３片部１４Ｃ、第４片部１４Ｄ）が延ばされた構成となっている。そして、一方（図１１で紙面に向かって右側）の第４片部１４Ｄにスリット１５Ａ、１５Ｂが形成されている。挿入基端部１３Ａは、表示本体部１１に対して折曲げ線Ｓ２（図の一点鎖線）に沿って所定方向に折り曲げられる。そして、両片部１４Ｃ、１４Ｄは、それぞれ挿入基端部１３Ａに対して折返し線Ｔ３、Ｔ４（図の破線）に沿って所定方向に折返し可能となっている（図１２参照）。
【００３２】
本第２の実施の形態の情報表示パネル１Ａにおける保持部１２Ａは、図１２（ａ）に示すように、折曲げ線Ｓ２に沿って挿入基端部１３Ａを矢印Ｅ４方向に折曲げるとともに、第３片部１４Ｃ及び第４片部１４Ｄをそれぞれ挿入基端部１３Ａの両面に重ねるようにして折返し線Ｔ３、Ｔ４に沿って矢印Ｅ５方向、Ｅ６方向に折り返す第１の方法により形成することができる。
或いは、図１２（ｂ）に示すように、折曲げ線Ｓ２に沿って表示本体部１１の背面１１ｃ側に矢印Ｅ７方向に折曲げるとともに、両片部１４Ｃ、１４Ｄをそれぞれ挿入基端部１３Ａの同一面側に重ねるようにして折返し線Ｔ３、Ｔ４に沿って矢印Ｅ８方向、Ｅ９方向に折り返す第２の方法により形成することができる。なお、図１２（ｂ）の場合においては、表示本体部１１の表示面１１ｂが紙面の裏側となっている。
【００３３】
次に、図１３は本発明の第３の実施の形態による情報表示パネルの正面図である。
図１３に示す第３の実施の形態による情報表示パネル１Ｂは、上述した第１の実施の形態の情報表示パネル１（図２参照）において第１片部１４Ａにもスリット１５（１５Ｃ、１５Ｄ）を設けた保持部１２Ｂを構成したものである。本保持部１２Ｂは、図３と同様の手順により形成され、その形成された状態において上側にスリット１５Ａ、１５Ｂが形成された第２片部１４Ｂが配置され、下側にスリット１５Ｃ、１５Ｄが形成された第１片部１４Ａが配置された構成となっている。本第３の実施の形態では、保持部１２Ｂの上下面にスリット１５が設けられるので、電子棚札の貫通穴部（図１０参照）の上下部においてスリット１５による段差を形成することができ、係合状態のさらなる向上を図ることができる。
【００３４】
以上、本発明による情報表示パネル及び棚札の第１乃至第３の実施の形態について説明したが、本発明は上記の実施の形態に限定されるものではなく、その趣旨を逸脱しない範囲で適宜変更可能である。
例えば、本実施の形態ではスリット１５の数量を一箇所あたり２つとしているが、これに限定されることはなく、貫通穴部の形状に対応させて３つ以上設けるようにすることも可能である。例えば、二つの貫通穴部が一定の間隔をもって同軸に並んでいる場合には、それら貫通穴部の位置に対応して４つのスリットを設けることができる。
【００３５】
また、本実施の形態では挿入基端部１３、１３Ａに対して折返し片１４を二重に重ねて保持部を形成しているが、このような形態に限定されることはなく、一重、或いは三重以上で折返し片１４を重ねた形態であってもかまわない。要は、貫通穴部に挿入可能な適宜な厚さ寸法で保持部が形成されればよいのである。
また、本実施の形態では折返し片１４にスリット１５を形成させた構成としているが、これに限らず、挿入基端部１３にスリット１５を形成してもよく、また挿入基端部１３と折返し片１４との両方にスリット１５を形成させる構成であってもかまわない。要は、折返し片１４を折返して保持部１２を形成した状態で、その保持部１２の上下面の少なくとも一方であって、情報表示パネルを保持させる貫通穴部と接する面にスリット１５が配置されていればよいのである。
【００３６】
さらに、情報表示パネルの表示本体部の大きさ、保持部の厚さ寸法、スリットの長さ寸法などは、任意に設定することができる。
さらにまた、本実施の形態では電子棚札２を情報表示パネル１、１Ａ、１Ｂを取り付ける適用対象を電子棚札２としているが、液晶パネルを有する電子棚札２であることに制限されることはなく、手動で切り替え可能な棚札や印刷された棚札等も適用対象とすることができる。
【図面の簡単な説明】
【００３７】
【図１】本発明の第１の実施の形態による電子棚札に装着した情報表示パネルの概略構成を示す斜視図である。
【図２】情報表示パネルの正面図である。
【図３】（ａ）〜（ｄ）は情報表示パネルの保持部を形成する手順を示す図である。
【図４】保持部が形成された状態の情報表示パネルの斜視図である。
【図５】（ａ）は図４に示すＡ−Ａ線矢視図、（ｂ）は図４に示すＢ−Ｂ線断面図である。
【図６】電子棚札の正面図である。
【図７】図１を上から見た図である。
【図８】図７に示すＣ−Ｃ線矢視図である。
【図９】図７に示すＤ−Ｄ線断面図である。
【図１０】図９に示す符号Ｒ部を示す図であって、貫通穴部の拡大図である。
【図１１】本発明の第２の実施の形態による情報表示パネルの正面図である。
【図１２】図１１に示す情報表示パネルの保持部形成の概要を示す斜視図であって、（ａ）は第１の方法を示す図、（ｂ）は第２の方法を示す図である。
【図１３】本発明の第３の実施の形態による情報表示パネルの正面図である。
【図１４】従来の情報表示パネルの装着構造の一例を示す図である。
【符号の説明】
【００３８】
１、１Ａ、１Ｂ  情報表示パネル
２  電子棚札（棚札）
３  電子棚札本体
４  棚札フレーム
１１  表示本体部
１２、１２Ａ、１２Ｂ  保持部
１３、１３Ａ  挿入基端部
１４  折返し片
１４Ａ〜１４Ｄ  第１〜第４片部
１５、１５Ａ〜１５Ｄ  スリット
１６  切込み部
Ｈ１、Ｈ２  段差
Ｓ１、Ｓ２  折曲げ線
Ｔ１〜Ｔ４  折返し線
【図１】
2010110507.tif 000003
【図２】
2010110507.tif 000004
【図３】
2010110507.tif 000005
【図４】
2010110507.tif 000006
【図５】
2010110507.tif 000007
【図６】
2010110507.tif 000008
【図７】
2010110507.tif 000009
【図８】
2010110507.tif 000010
【図９】
2010110507.tif 000011
【図１０】
2010110507.tif 000012
【図１１】
2010110507.tif 000013
【図１２】
2010110507.tif 000014
【図１３】
2010110507.tif 000015
【図１４】
2010110507.tif 000016